(57)【特許請求の範囲】
【請求項１】
複数の地理的位置に分散配置された複数のサーバと、前記複数のサーバのそれぞれに接続された複数のコンピュータ端末と、から構成されたコンピュータシステムにおいて、
前記複数のサーバは、前記ダウンロード可能なデータを含む資源を格納する複数の構内サーバと前記ダウンロード不可能な物理的対象物を含む前記資源のプロファイルを格納する複数の地域サーバとにグループ分けされて分散配置されており、前記構内サーバと前記地域サーバは所定の通信チャンネルを介してそれぞれが格納する前記資源と前記プロファイルを相互に送受信可能に構成され、
前記コンピュータ端末の一つからの前記地域サーバ内に格納された前記プロファイルの検索を、当該コンピュータ端末に対して予め設定された許可レベルに応じて前記プロファイル毎に許可する手段と、
前記構内サーバ内に格納されている前記ダウンロード可能なデータの前記コンピュータ端末への配信を、当該コンピュータ端末の前記許可レベルに応じて前記ダウンロード可能なデータ毎に許可する手段と、
前記ダウンロードされたデータを調べ当該データを作成したプログラムのインデックスを捜し出して、前記コンピュータ端末に前記プログラムをロードする手段と、
を備えたことを特徴とする資源管理用コンピュータシステム。
【発明の詳細な説明】
【０００１】
【産業上の利用分野】
本発明は、ダウンロード可能コンピュータデータ及びプログラム（ａ）及び物理的対象（ｂ）の形式をとり、またそれぞれ異なる位置の複数の格納部に位置する資源の管理に関する。資源は、実際にユーザの位置に提供されるかのように、所定の位置でユーザに提供される。
【０００２】
【従来の技術】
データベースは図書館の索引目録カードに幾分似ている。索引目録カードは、複数の方法で書籍の他箇所参照の表示を行う。
【０００３】
例えば、「著者」カードが存在する。このカードは、著者の姓のアルファベット位置の索引目録で捜し出される。
【０００４】
また、書籍の表題のアルファベット位置で捜し出される「書名」カードも存在する。更に、書籍の件名を記述し、例えば「押し花収集」等の件名のアルファベット位置で捜し出される「件名」カードも一般に存在する。もちろん、他のカードも所定の本に対して存在し得る（例えば、著者が複数存在する書籍は、一般に各著者毎の著者カードを有する）。
【０００５】
データベースの用語では、これらのカードはデータベース内の「フィールド」に相当する。例えば、図書館では、アーネスト・ヘミングウェイが著した書籍全てを捜す場合、索引目録カードの「ヘミングウェイ」を調べる。ヘミングウェイという著者が書いた図書館の本は全て、各著者カードで識別される。コンピュータのデータベースでは、「著者」フィールドで同様の探索が行われる。
【０００６】
一般に、コンピュータのデータベースのフィールド数は索引目録カードよりも多い。例えば、索引目録カードがコンピュータのデータベースに含まれているとすると、日付または日付の範囲を指定する「日付」フィールドが存在することになり、またデータベースは指定された日付または範囲に応じた著作権を有する書籍全ての一覧表を作成することで応答する。
【０００７】
【発明が解決しようとする課題】
現在、既存のデータベースには制限がある。例えば、多くのデータベースでは、ユーザはデータベースの使用法を学ぶために重要な訓練を受ける必要がある。データベースによっては、ユーザが記憶しなくてはならない機密のコマンドが使用される。
【０００８】
データベースには、データベースの所有者が所有する情報のみを保存しているものもある。図書館との類似の話に戻ると、索引目録カード内に含まれる情報全てをデータベースプログラムに入力することにより、公立図書館がその索引目録カードをコンピュータ化する場合、データベースプログラムにはもちろん索引目録カード情報のみが保存されることになる。例えば、第１の図書館が所有する書籍を捜し出すために、ユーザは第２の図書館の索引目録カードにアクセスすることはできない。ユーザは第２の図書館に行かなければならない。
【０００９】
本発明は、検索が簡素化するよう情報記憶を行うシステムを提供することを目的とする。
【００１０】
また、本発明は、情報入力及び情報検索が自己解釈的で外部の指示に依存する必要の無い情報記憶を行うシステムを提供することを目的とする。
【００１１】
更に、本発明は、キーワードに応じて複数のデータベースで保存されている全情報のユーザによる探索を可能にするシステムを提供することを目的とする。
【００１２】
また、本発明は、特定期間でキーワードによって新しい情報を後に探索するユーザによる常時探索を可能にするシステムを提供することを目的とする。
【００１３】
【課題を解決するための手段】
このため、本発明は、複数の地理的位置に分散配置された複数のサーバと、前記複数のサーバのそれぞれに接続された複数のコンピュータ端末と、から構成されたコンピュータシステムにおいて、前記複数のサーバは、前記ダウンロード可能なデータを含む資源を格納する複数の構内サーバと前記ダウンロード不可能な物理的対象物を含む前記資源のプロファイルを格納する複数の地域サーバとにグループ分けされて分散配置されており、前記構内サーバと前記地域サーバは所定の通信チャンネルを介してそれぞれが格納する前記資源と前記プロファイルを相互に送受信可能に構成され、前記コンピュータ端末の一つからの前記地域サーバ内に格納された前記プロファイルの検索を、当該コンピュータ端末に対して予め設定された許可レベルに応じて前記プロファイル毎に許可する手段と、前記構内サーバ内に格納されている前記ダウンロード可能なデータの前記コンピュータ端末への配信を、当該コンピュータ端末の前記許可レベルに応じて前記ダウンロード可能なデータ毎に許可する手段と、前記ダウンロードされたデータを調べ当該データを作成したプログラムのインデックスを捜し出して、前記コンピュータ端末に前記プログラムをロードする手段と、を備えたことを特徴とする資源管理用コンピュータシステムを提供するものである。
【００１４】
また、この発明の一形式において、ユーザは例えばカテゴリーまたはフィールドによって複数のデータベースを探索することができる。
【００１５】
【実施例】
サーバは資源を保持する。
【００１６】
図１は、コンピュータまたはこれと等価で、ＰＣと分類されているマイクロコンピュータのために一連の資源を保持することで格納部として動作するサーバを示している。ＰＣはサーバのクライアントである。
【００１７】
今、説明を簡略にするために、資源はコンピュータファイルとして考察する。しかしながら、すぐに分かると思うが、実際には資源には、普通のコンピュータファイルよりも非常に巨大で多種多様な一連の対象物が含まれている。資源には（ａ）データ、（ｂ）情報、（ｃ）知識が含まれており、これらの語は一般社会及び計算機科学者によって定義されている。このデータ、情報、知識はコンピュータダウンロード可能データ、または印刷物などの他の形式を取っている。各資源には、資源についての説明情報を含む関連プロファイルを有している。図５３は、プロファイルの例を示している。ＰＣのユーザは、プロファイルで探索を行って目的の資源を捜し出すために、プロファイルを使用する。
【００１８】
例えば、各プロファイルは説明的なタイトルを含んでいる。ユーザがゴルフ用品の製造者で、空力くぼみを改良した新しいゴルフボールを開発しているとすると、ユーザはプロファイル内の「ゴルフボール」または「ゴルフボール」と組み合わせた「空力」等の表現を捜して資源を探索することができる。（この探索は、標準ブールキーワード探索である。）本発明はプロファイルを捜し出すので、探索基準に合ったタイトルを含む資源も捜し出すことができる。
【００１９】
プロファイルの位置
図１及び図２〜図４は、説明を簡略化するために、プロファイルが資源として同一サーバに記憶されている状態を示している。しかし、好適な記憶法は図５に示している。２種類のサーバ、すなわち構内サーバ及び地域サーバが存在する。プロファイルは地域サーバに記憶される。資源は構内サーバに記憶される。
【００２０】
名前が示すように、地域サーバは地域で使用され、またその地域にある複数の構内サーバに関連する資源のプロファイルを保持する。どちらのサーバにも（構内及び地域）管理担当者が存在し、この言葉については後に説明する。（もちろん、同じ一人の人間が複数のサーバ、つまり構内及び地域サーバの管理担当者として活動することができる。）
コンピュータタイプのデータに限定されない資源
資源は、コンピュータタイプのデータやファイルに限定されることはない。図２は、その例を示している。同図は、４種類の異なる資源、すなわちコンピュータファイル（またはデータ）、書籍、映画フィルム、物理的対象物を示している。物理的対象物は、コンピュータディスクドライブやディーゼル電気鉄道機関車等の物理的対象物の形式を取っている。もちろん、これら４種類の資源は例であるので、他の種類の資源も多数存在する。
【００２１】
これらの資源は、２つの点線の輪で示されるように、２つの異なる基準を基にして２組のクラスに分けられる。一方のクラスは、書籍、映画フィルム、ファイルは異なる媒体（それぞれ紙、セルロイド、磁気及び光学的媒体）に記憶されているものの、全て情報を含んでいるという事実を基にしている。情報として資源は、デジタル化データ等の適切なフォーマットにまず変換されることを条件として、電話通信チャネル等のデータリンクで送信され得る。一般に、物理的対象物は情報を含んでいない。
【００２２】
第２のクラスは、書籍、映画フィルム、物理的対象物が全て実体的な物質対象物であるのに対し、（サーバの大容量格納部内に記憶されている場合）ファイルは実体を持たないという事実に基づいている。物質対象物の場合、対象物自体は、その中に含まれる情報と同じように送信されない。ユーザが対象物を得るためには、対象物には物理的移送手段が必要である。
【００２３】
ある点においては、資源は同様に取り扱われる。
【００２４】
ある点においては、本発明は、データまたは物質対象物としての分類に関係なく、資源全てを同様に取り扱う。例えば、どの資源もその分類に関係なく、プロファイルに関連している。分類に関係なく、プロファイルは全て記憶及び処理され、また分類に関係なくクライアントＰＣのユーザに利用される。
【００２５】
以下にその例を挙げる。
【００２６】
−ユーザは、タイトルでアルファベット順に配列した全プロファイルの完全一覧を獲得することができる。一般に、プロファイルは、両クラスにおいて資源を網羅する。
【００２７】
−ユーザは、「ブールキーワード探索」を呼び出すことにより、特定の言葉の組み合わせのみを含むタイトルを有するプロファイルの完全一覧を獲得することが可能である。（ビデオテープの形式で保持される資源についてのみ探索を要求することで、分類が探索の一部として意図的に行われることがなければ）この探索は、分類とは無関係に実行される。
【００２８】
−ユーザは、指定カテゴリー内の全プロファイルの一覧を獲得することができる。
【００２９】
カテゴリーについて、以下に説明する。プロファイルを作成する場合、各プロファイルはカテゴリーを定められる。（プロファイルの作成者が適切な既存のカテゴリーを見つけることができない場合、作成者はシステムに追加される新しいカテゴリーを設けることができる。）カテゴリーは、上記に説明した「分類」とは異なる。図２４はカテゴリーの例を示す。
【００３０】
機密保護面
この説明は、ユーザが全プロファイル及び全資源にアクセスできるものと仮定して行う。しかし、一般に、ユーザはこのような幅広いアクセスを行うことができず、ユーザが権限を有するプロファイル及び資源にのみアクセスできる。ユーザが探索を行う場合、ユーザがアクセスするプロファイルのみ表示される。
【００３１】
後に説明するが、アクセスは資源の所有者によって制御される。所有者が資源を格納部に保存する場合、資源を見ることのできるユーザの特定のクラスを指定することにより、所有者は任意に資源へのアクセスを制限することができる。（後に説明するように、アクセスの制限は、プロファイルに制限を加えることにより行われる。）
アクセスは、また、システムの管理担当者によっても制限される。
【００３２】
ユーザに単一の格納部として提示される複数の格納部
上記では、単一のサーバについて説明を行った。本発明では、図３に示すように、複数のサーバ（すなわち、複数の格納部）を互いに連結することが可能である。連結は、購入可能な通信チャネルによって行われる。
【００３３】
連結を行うことにより、全サーバ内の資源は全て全ＰＣで利用できるようになる。しかしながら、所定のＰＣのユーザは図３に示す連結構成を実際に見ることはできない。そのユーザには、（ユーザが所定の資源の位置を任意に確認することができても）位置がどこであっても全資源がユーザ自身のサーバ内にあるかのように見える。
【００３４】
例えば、ＰＣ１のユーザは以下の資源にアクセスすることができる。
【００３５】
−点線の経路５で示す資源３
−点線の経路１０で示す資源４
−点線の経路８で示す資源６
ユーザは、他の手順に従うことなくこれらにアクセスできる。つまり、それぞれ異なる位置にあるサーバ内に資源があるので、他の手順は必要なくなる。ユーザには、全資源がユーザ自身のサーバに位置しているかのように見える。
【００３６】
資源には格納部の他にサービスが含まれる。
【００３７】
番号６の最後の資源は、以下の点において、他の２つの資源とは異なる。資源を保持する格納部は、本発明のソフトウェアを実行させるサーバではない。この格納部は、購入可能なデータサービスである。１９９４年において、このような購入可能なサービスはCompuserve、GEnie、Paradoxである。（本発明者は、これらの３種類の特定のサービスを承認しているわけではないが、「サービス」という言葉の定義を説明するのにこれらを挙げただけである。）
サービスはサービス自身のソフトウェアを使用して、その資源を保持する。しかしながら、本発明では、ユーザはサービス内の資源にアクセスすることが可能である。（実施料及び他の考慮の対象は、ユーザ自身とサービスとの間で取り扱われる問題である。本発明では、サービスへの入力またはサービスとの接続を可能にする権利はユーザに与えられない。）
資源は格納部として表示される。
【００３８】
図３は、図４の概念図を示している。他のサーバ及びサービスは、資源自身と同等である。すなわち、サーバ１４のクライアントであるＰＣのユーザには、サーバ１４に位置する資源と他のサーバ内にある資源との著しい違いが分からない。
【００３９】
ユーザは格納部内に資源を配置できる。
【００４０】
ユーザは、コンピュータ文書のように、格納部内に資源を作成できる。例えば、図３のＰＣ１のユーザは、サーバ１６内に資源１５を配置することができる。（もちろん、サーバ１６の管理担当者がこのユーザに配置を行うための許可を与えたと仮定する。また、サーバに相対するサービスにより、ユーザのサービス内の資源配置能力に制限が生じる。）
提供者と呼ばれるこのユーザは、資源へのアクセスが制限される。例えば、提供者は他の所定グループ（またはチーム）のユーザによるアクセスのみを特定することができる。
【００４１】
他の種類のアクセス制限としては、少なくとも２種類の異なる仕組みによって管理担当者が同様にアクセスを実際に制限することが可能であることをここに記載しておく。一つは、管理担当者の管理の元でサーバへアクセスするユーザを管理担当者が決定するものである。他方は、管理担当者が上記で述べたチームにサーバのユーザを割り当てるものである。
【００４２】
ユーザは常時探索命令を確立できる。
【００４３】
どのユーザも、新たに追加された資源のプロファイルをユーザが関心を持つ項目で探索するよう要求することができる。例えば、上記に述べた「空力クボミ」の探索を、各格納部に追加された新規のプロファイル毎に実行するよう要求することが可能である。プロファイルで探索基準（「空力」、「ゴルフボール」等）に適合する言葉が見つかると、ユーザにこのことが知らされる。
【００４４】
常時探索は、常時探索が確立された時点でユーザによって指定された間隔（一日に一度等）で、周期的に行われる。その後、各間隔毎に、本発明は探索を自動的に行う。本発明者は、新規プロファイルが本発明に追加された場合、常時探索は各新規プロファイル毎に行われないが、ユーザが指定した間隔で行われると指摘している。
【００４５】
継続性に関する面
上記に述べたように、本発明には継続性に関する面が幾つかある。
【００４６】
−格納部は継続的に連続的に更新される。
【００４７】
−図３に示す接続されたサーバ（すなわち格納部）のネットワークは、増加し続けるサーバを含む大規模なネットワークに継続的に拡張すると思われる。
【００４８】
−ユーザは、増加し続ける一連の資源を継続的に探索する常時探索命令を発行することができる。
【００４９】
この継続性があるために、本発明は「連続学習システム」またはＣＬＳと呼ばれている。ＣＬＳについては、図書館との類似性により更に説明する。
【００５０】
類似性：仮想図書館
ＣＬＳにより、ユーザは普通の図書館でユーザが利用できるあらゆる種類の物質（書籍、新聞、マイクロフィルム、ビデオテープ等）を利用することが可能になる。（また、上述したように、ＣＬＳにより図２に示す物理的対象物も利用可能になる。）
しかしながら、ＣＬＳによりこの図書館に「仮想的な」面が与えられる。「仮想的」という言葉は、実際の図書館の多くの機能があるのならばこれがＣＬＳにより提供されるが、物理的図書館に付属するものの多くが物理的に存在する必要はない。
【００５１】
例えば、実際の図書館で利用者が書籍を借りると、他の利用者はこの書籍を利用することはできない。逆に、ＣＬＳでは、（図書館の書籍に類似する）資源の多くはダウンロード可能なデータの形式を取っている。複数のコピーが複数のユーザに分散されるので、一人のユーザが所有することで他のユーザの資源へのアクセスが不可能になることはない。
【００５２】
他の例としては、実際の図書館には索引目録カードがある。図書館の蔵書内の各書籍に対して、少なくとも一枚のカードがある。比較すると、ＣＬＳは各資源毎にプロファイルを保有している。プロファイルは、説明的なタイトル、資源の位置等の各資源についての重要な情報を提供する。
【００５３】
また他の例としては、実際の図書館にはその書籍の別の種類の一覧、すなわち「書架リスト」がある。書架リストは書籍を全て列挙するが、それはアルファベット順ではなく、図書館の請求番号の昇順である。書架にある書籍は請求番号に従って番号順に配列してあるので、書架リストは書籍の物理的位置を示している。
【００５４】
もちろん、どの図書館にもある更に巨視的な「書架リスト」は地図であり、これは請求番号の異なるグループの位置を示している。
【００５５】
更に他の例では、実際の図書館は少なくとも２つの異なる方法で、件名によって本を分類している。一方の方法では、索引目録カードにはアルファベット順の様々な件名のカードが含まれている。他方の方法では、デューイ十進法で同種の主題の本を物理的に隣接する場所に設置している。
【００５６】
従って、図書館の書籍を資源と見なすと、本発明は図書館の特徴を幾つか有している。また、上述したように、本発明は図書館に仮想的な面を与えている。
【００５７】
また、本発明では格納部が保持する資源をユーザは指定することができ、資源が送り出される。資源がダウンロード可能なタイプである場合、資源はユーザにダウンロードされる。ダウンロードが実行されないと、メッセージが資源の管理者に送られ、物理的送り出しを要求する。
【００５８】
次に、本発明のユーザの操作法について段階的に説明する。
【００５９】
操作順序の例
本発明は、ワシントン州レッドモンドのマイクロソフト社より購入可能なウィンドウズや、ニューヨーク州アーモンクにあるＩＢＭ社より購入可能なＯＳ／２オペレーティングシステム等の図式ユーザインタフェース（ＧＵＩ）と関連して実行されるようになっている。
【００６０】
図６は、コンピュータの電源投入シーケンスが実行された後にＧＵＩが作成する典型的な表示を示している。本発明の操作を開始するときは、通常ユーザは「ＣＬＳ」と書かれたイコンを動かす。（「ＣＬＳ」は、上述したように、「連続学習システム」という言葉の頭文字を組み合わせて作った言葉である。）  本発明は、図７に示す画面を表示することにより応答する。この画面は、ユーザのログインを入力するようユーザを促しており、ログインはユーザのコンピュータ使用計算番号である。この画面はまた、ユーザのパスワードも入力するようユーザを促している。図８はログイン及びパスワードの例を示している。（パスワードは機密扱いなのでクロスハッチングで示している。クロスハッチングにより、近くの偵察者がユーザのパスワードを盗み見ることを防いでいる。）
ログイン及びパスワードは、後に説明するように、ＣＬＳの管理担当者によってユーザに割り当てられる。
【００６１】
パスワードが入力されると、本発明は図９に示すような画面を表示するが、この画面によりユーザはログオンの処理が開始されたことが分かる。ログオンの処理が成功すると、図１０に示すような画面が表示され、これはレベル１であることを示している。
【００６２】
この画面では、１〜４のラベルの付いた４種類のボタンで示すように、ユーザには４つのオプションがある。この４つのオプションは実際には更に広範囲なオプションを含んでいるが、図１０の画面ではユーザの便宜上４つのオプションが示されている。つまり、この４つのオプションにより、ユーザは以下の動作を実行することが可能である。
【００６３】
１．探索及び確認
全体的には、ＣＬＳシステムは資源の格納部と見なすことができる。一般的な意味では、ＣＬＳ仮想図書館として見なされる。つまり、図書館にある全ての種類の物質はＣＬＳによって利用される。しかし、多くの物質が保管されており、またダウンロード可能なコンピュータ形式でユーザがこれを利用することができる。これらの物質は資源と呼ばれ、また「図書館」は格納部と呼ばれる。
【００６４】
資源には、コンピュータプログラム及びデータ等のコンピュータのデータベース内に習慣的に保存されている項目が含まれる。また、資源には、コンピュータダウンロード可能形式で保存されていない項目も含まれている。後者の資源の例は、情報の伝達に使用される新聞、ビデオテープ、３５ミリフィルム、書籍、マイクロフィルム、地図、その他の全ての媒体である。更に、資源の概念は、物理的対象物等の非情報題材にまで広がる。
【００６５】
どの資源もプロファイルを有している。各プロファイルは、資源の説明やその位置等の資源についての重要な情報を含んでいる。探索及び確認オプションにより、ユーザはプロファイルを見ることができる。
【００６６】
２．提供または発送
このオプションにより、ユーザはＣＬＳに資源を追加することができる。
【００６７】
３．関心の識別
ＣＬＳにより、ユーザは、関心のある資源の一連の格納部を探索することができる。「探索及び確認」と「関心の識別」は、大きく異なる。
【００６８】
「探索及び確認」オプションでは、上述したように、ユーザは特定の基準に従って、探索を命令することができる。探索が行われると、探索は一度終了する。
「関心の識別」オプションでは、ユーザは定期的間隔で後に終了する探索を行うことができる。間隔はユーザによって指定される。ＣＬＳは、指定された間隔で探索を行い、その結果をユーザに知らせる。
【００６９】
４．個人情報
このオプションにより、ユーザはユーザのプロファイルに関連する情報を見たり、修正することができる。
【００７０】
これらのオプションの使用例について説明する。
【００７１】
例１：探索及び確認
ユーザが、図１１に示す番号１の探索及び確認ボタンを作動させると仮定する。ＣＬＳは図１２に示す画面を表示することで応答する。この画面におけるユーザのオプションは８種類ある。
【００７２】
１．全資源。このオプションは、ユーザが利用できる全資源のタイトルを表示する。
【００７３】
２．一般探索。このオプションでは、ユーザは特定の言葉を求めて全資源のプロファイルを探索することができる。一般探索により、プロファイルのブール式キーワード探索が可能になる。
【００７４】
３．カテゴリー。このオプションでは、ユーザはカテゴリーでプロファイルを探索できる。例えば、ユーザが婦人服ファッションデザイナーであるとする。ＣＬＳに、ファッション業界に関する図面及び写真を保存することができる。プロファイルは、「帽子」、「夜会服」、「冬用衣料」等のカテゴリーに分けられる。
４．媒体。このオプションにより、ユーザは媒体の種類に基づいてプロファイルにアクセスすることができる。例えば、ある媒体の種類がビデオテープであるとする。また、他の種類が用紙であるとする。図３１は、他の種類の媒体の例を示している。媒体の種類には、ダウンロード可能コンピュータファイル及びデータ、ビデオテープ、写真フィルム、書籍、オーディオテープ、ＣＤ−ＲＯＭ等がある。一般に、媒体の種類は、データを伝達する媒体の物理的特徴を示している。
【００７５】
５．格納部。このオプションにより、ユーザは資源を保管する格納部によって、資源を見ることができる。例えば、国会図書館を一つの格納部とし、またニューヨーク市立公立図書館を別の格納部とする。ユーザは、格納部を選ぶことにより、どちらかの図書館の資源のプロファイルを全て見るという選択が可能である。
６．システム。このオプションは格納部に類似している。このオプションにより、ユーザは、上記に定義した購入可能なサービスにアクセスすることができる。これらのサービスは「オンラインデータベース」とも呼ばれている。このオプションを選ぶと、ユーザはＣＬＳを通してこれらのサービスのどれかにアクセスすることができる。
【００７６】
７．関心としての探索保存。このオプションにより、ユーザは常時探索を確立することができ、この場合、常時探索を作成するとプロファイルが探索される。例えば、上記の空力ゴルフボールの製造者がこの探索オプションを選ぶと、システムに追加される全新規プロファイルが「空力」等の言葉で探索される。探索基準に適合するプロファイルが見つかると、ユーザにこのことが知らされる。
【００７７】
例の続き
図１２でユーザがボタン２を選択したとすると、一般探索が図１３の強調表示ボタンによって示される。ＣＬＳは、図１４に示す画面を表示することで応答する。この表示は、３種類（あるいは３種類以下）の基準による探索を要求するようユーザを促している。
【００７８】
例えば、ユーザがプロファイルのタイトルに「ＵＮＩＸ」という言葉を有する資源に興味を持っているとする。ユーザは、図１５に示す「ＵＮＩＸ」という言葉を入力する。ＣＬＳは全格納部の探索を行い、タイトルに「ＵＮＩＸ」という言葉を有するプロファイルを全て捜し出す。図１６は、探索の結果の例を示している。
【００７９】
この探索により、探索で識別された各資源についての３種類の情報が提供される。一つは、「媒体」という見出しの欄に示すように媒体タイプである、「オンライン」という言葉は、資源が「オンライン」状態にあるか、または（用紙や３５ｍｍフィルムとは逆に）コンピュータダウンロード可能形式であることを示している。資源が３５ｍｍフィルム等の非ダウンロード可能形式であると、「媒体」の欄にもそのことが表示される。
【００８０】
「日付／時間」の欄は、資源に対応するプロファイルが作成されたときの日付と時間を示す。
【００８１】
「タイトル」は、各資源に対応するプロファイルが有するタイトルを示す。
【００８２】
重要なことであるが、画面は資源の位置を表示しない。資源が全て非常に幅広い地域に分散されていても、ユーザには全資源が共通の位置にあるかのように見える。もちろん、ユーザがこれら資源の位置を確認したいときは、ユーザはここに説明する他のオプションを使用して確認を行うことができる。
【００８３】
ユーザは資源の探索を行う。
【００８４】
ユーザが、図１６の番号７の項目のアクセスを所望していると仮定する。ユーザがマウス（またはキーボード、あるいは音声センサー等の他の作動機器）を使用してこの項目を強調表示すると、図１７に示すような画面が表示される。次に、ユーザが「検索」というラベルの付いたボタンを作動させると、図１８に示すような画面が表示される。同図の底部に示す「ＣＬＳダウンロード」というサブタイトルを有するイコンは、ダウンロード操作が行われていることを示している。  ダウンロードが完了すると、図１９に示す画面が現れる。この画面は、３つの重要な事実を示している。一つは画面の背景と、画面上部の見出しに示されている。背景と見出しは、コンピュータプログラムが始動したことを示している。
【００８５】
ＣＬＳはダウンロードされた資源を調べ、また資源を作成するのに使用されるコンピュータプログラムを識別したインデックスを捜す。この例では、資源は、語処理プログラム、すなわちマイクロソフトのワードで作成されたファイルである。
【００８６】
語処理プログラムを識別してあるので、ＣＬＳはプログラムを捜して、これを見つけたときに開始させる。図１９に示す画面の見出しは、このプログラムが開始されたことを示している。
【００８７】
第２の事実は、ＣＬＳによってダウンロードされた資源、すなわちＵＮＩＸというタイトルで探索している間に捜し出された資源を語処理プログラムがロードするということを示している。
【００８８】
第３の事実は、図１９に示す画面が、ダウンロードされた資源がユーザのコンピュータのどこにも存在せず、またユーザの所定の操作で保存されるかまたは保存されなければならないユーザに知らせていることである。（もちろん、検索を開始した格納部に資源は存在する。）図１９の指示メッセージにより、ユーザが語処理プログラムを終了させるときにユーザは資源を保存することになる。保存を行わないと、資源は消失する。
【００８９】
図２０は、ユーザが図１９の指示メッセージに応答した後でＣＬＳが作成した画面を示している。資源を作成した同じ種類の語処理プログラムによって、資源は表示される。
【００９０】
他の探索の例として、ユーザが図２１に示す探索を命令すると仮定する。ユーザは、タイトルに「ｕｎｉｘ」及び「図書館」という２つの言葉を有するプロファイルを全て検索するようＣＬＳに命令する。図２２は、探索の結果を示している。結果は、図１７に示すようなダウンロードで選択したものと同じ単一のタイトルである。
【００９１】
レベル２：カテゴリーによる探索及び確認
ＣＬＳ内でユーザのレベルが２であると仮定する。つまり、ユーザは図１０においてレベル１を表すオプション１を選択した。
【００９２】
レベル２では、ユーザは、図２３で作動されたボタンで示すように、ユーザがカテゴリーによる探索及び確認を所望している。図２４に示すように、ＣＬＳは、利用可能な資源のカテゴリーの一覧を表示することで応答する。
【００９３】
一般に、このリストには複数の格納部からの資源が含まれている。つまり、格納部は物理的にその分野全体の複数の場所に位置しているので、この一覧の範囲は総括的である。
【００９４】
しかしながら、この一覧の総括的面はユーザには分かりやすい。つまり、ユーザにとって、一覧は単に局所的に利用できる資源の一覧に過ぎないからである。ダウンロード可能な資源はすぐに利用できるが、ダウンロードが不可能な資源は最新移送手段が資源を発送するのと同じ速度、つまり、多くの場合１日の内に利用できるようになるため、資源の位置はアクセスに影響しないので、ユーザには強調されない。
【００９５】
強調表示されたカテゴリー「ＣＬＳ−チーム注記」で示すカテゴリーをユーザが選択すると、ＣＬＳは、図２５及び２６に示すように、カテゴリー内に含まれる資源の一覧を表示することで応答する。
【００９６】
この一覧は、図１７に示す資源の一覧に概念的に類似している。同図において、一覧表示された資源は共通の特徴を有している。すなわち、これら資源は全て、図１５で発信された探索ストリングと一致するプロファイルのタイトルの言葉を有している。同様に、図２５では、一覧表示された資源は全て、同じカテゴリーに存在するという共通の特徴を有している。
【００９７】
繰り返し述べると、資源は、図２４に示すような一定のカテゴリーによって分類される。資源はまた、探索呼出によってもカテゴリーに分類される。  ユーザが、図２６で強調表示されている資源の入手を所望しているとする。ユーザはマウスを使用して画面の適切なボタンを作動させ、またＣＬＳは資源を検索する。この場合、資源はダウンロード可能なデータの形式を取っているため、ＣＬＳは電話や他のデータチャネルによって資源の格納部から資源を入手することができる。
【００９８】
その意図する方法で資源を表示するのにコンピュータプログラムが必要かどうか確認するために、ＣＬＳは資源を検査する。この例では、プログラムが必要であることがＣＬＳで分かったが、プログラムを開始するためにプログラムを使用することができず、またはプログラムは資源の表示に適していないことも分かった。従って、ＣＬＳは図２７に示す画面を表示する。
【００９９】
この画面は、プログラムが使用可能であり、またダウンロードされた資源を保存するための手順を実行する必要があることをユーザに知らせるものである。保存を行わないと、資源は消失し、また再びこれを入手するときは格納部から検索しなければならない。
【０１００】
ＣＬＳは図２８及び図２９に示す画面をユーザに表示し、またユーザはこの例においてはコンピュータファイルである資源を通常の方法で保存することができる。
【０１０１】
「意図する方法での表示」の意味に関する重要な点を２つの例を用いて説明する。
【０１０２】
例１
一般に、語処理プログラムは各プログラムによって幾分異なる形式でその文書を表示し、またその文書を異なるデータ形式でフロッピーディスケットに保存する。
【０１０３】
例えば、用紙に印刷する際、アンダーラインが引かれるテキストについて考察してみる。ある語処理プログラムは、実際にアンダーラインを引いたこのテキストをコンピュータのディスプレイに表示する。別の語処理プログラムでは、アンダーラインを引く代わりに、周囲とは異なる色でこのテキストを表示する。
【０１０４】
更に、２種類の語処理プログラムは、おそらく異なるバイトシーケンスとして文書をフロッピーディスケットに保存する。つまり、ディスケットに保存されるシーケンスが有するデータは２種類（あるいは２種類以上）ある。第１の種類には、文書の実際のテキストのバイトが含まれている。ＥＢＣＤＩＣ等の他のコードも存在するが、ＡＳＣＩＩコードが一般的に使用される。
【０１０５】
第２の種類は、上記のアンダーライン等、テキストの所定部分の特殊な特徴を示す書式作成コードを含んでいる。一般に、異なる語処理プログラムは異なるコードを使用して、テキストの異なる特徴を表している。
【０１０６】
従って、ある書式作成コードは、異なる語処理プログラムで作成した異なる文書の異なる意味を有している。ワードプロセッサで表示される際に、この書式作成コードにより、所定のテキストはアンダーラインを引いた状態でが表示されるが、他のプロセッサでは同じテキストが異なる色で表示される。
【０１０７】
また、あるプロセッサが他のプロセッサで作成した文書を表示する場合、プロセッサはこのようなコードを全て取り除いてしまい、所定のデフォルト書式で文書を表示する。
【０１０８】
ＣＬＳは検索される資源（語処理文書等）を作成したプログラムを識別し、資源を作成したプログラムの開始を試みるので、資源は作成されたときと同じように表示される。
【０１０９】
この識別は、語処理文書に対してだけでなく、図形資源や２頁にわたる資源等検索される資源全てに対して行われる。
【０１１０】
例２
マルチメディアシステムは、複数の書式の情報を同時にユーザに表示する。情報は、コンピュータのディスプレイから見ることができる。視覚情報は、図形やテキスト用紙等で静的である。視覚情報は、常に変化する一連の画像、ビデオやアニメーション等で動的にもなり得る。
【０１１１】
また、情報は可聴式にもなり、スピーカーから音声を流すことができる。
【０１１２】
考えられるところでは、情報は触知可能である。例えば、モールス信号は一連の長短の両信号音で表される。変換器は、指で触れるパッドを振動させることにより、これらの信号音を触知可能にする。視覚障害を持つ人はこのような変換器を使用することができる。
【０１１３】
別の種類の触知情報は、視覚テキストを点字テキストに変換することで得られる。この変換は、従来より知られる、並行ピンのマトリクスを含む電気機装置で行うことができる。この装置は適切なピンを上昇させて、視覚テキストの各文字を適切な点字書式で表示する。他の情報表示の書式は無数にある。問題の識別処理はダウンロードされた資源を検査し、また資源が意図する書式でユーザに表示を行うのに他のファイル、情報、データが必要かどうか確認を行う。
【０１１４】
本発明は必要なファイル及び情報を捜し出し、資源が意図する方法でユーザとの通信に必要な適切なコンピュータプログラムを開始させる。
【０１１５】
代替手順
所定のプログラムを使用できない場合、資源を表示するために、適切な代替プログラムを実行させる手順を確立することは可能である。例えば、資源で特定の語処理プログラムが必要な場合、また資源がダウンロードされているときにそのプログラムを使用できない場合は、所定のプログラムの初期のバージョンやまったく別のプログラム等、他のプログラムを実行するようＣＬＳをプログラムすることができる。
【０１１６】
圧縮データファイル形式の資源では、プログラムの開始方法も変わる。例えば、圧縮形式のファイルには接尾部「．ｚｉｐ」が共通して付けられており、使用する際には圧縮された形式を元に戻す必要がある。ＣＬＳがファイルを検査する場合、接尾部を確認し、そして適切な圧縮解除プログラムを開始させてファイルをアンパックする。アンパックが終わると、次にＣＬＳは再びファイルを検査して、意図した方法でファイルを表示するプログラムを確認する。
【０１１７】
レベル２：探索及び確認、媒体
ＣＬＳ内でのユーザのレベルが２であると仮定する。つまり、ユーザは、図１０でレベル１を示すオプション１を選択し、レベル２に進んだことになる。
【０１１８】
レベル２では、ユーザが、図３０で作動するボタンで示すように、媒体タイプによって資源の探索及び確認を所望している。ＣＬＳは、図３１に示すように、資源が保存されている異なる種類の媒体の一覧を表示することで応答する。
【０１１９】
ユーザが、ビデオ形式の媒体（例えば、ＶＨＳまたはベータ形式のビデオテープカセット、１インチまたは２インチのテープ一巻）の資源全ての一覧の確認を所望しているとする。図３２に示すように、ユーザは「ビデオ」の入力項目を強調表示させ、また図３３に示すように、ＣＬＳはビデオ形式で保存されている資源全ての一覧で応答する。
【０１２０】
画面に示すように、ユーザは資源を選択して、資源に関連するプロファイルを見ることができる。また、ユーザは資源の検索を行うことが可能である。
【０１２１】
資源がダウンロード可能なデータである場合、資源は通常の方法でダウンロードされる。しかし、ビデオ媒体の場合、資源を保持する格納部には、ユーザへのデータリンクでビデオをダウンロードさせる機能がない。（つまり、媒体はビデオカセットテープの形式を取っている。このようなテープに保存されているデータは、デジタルデータではなくアナログデータである。アナログデータは直接ダウンロードされない。）
このような場合、ＣＬＳはダウンロードの実行が不可能であることをユーザに知らせ、ユーザへの資源の物理的移送を要求するかどうかユーザに質問する。要求する場合、ＣＬＳはユーザの要求する資源を保持する格納部を通知する。この通知は、問題の格納部の管理担当者へ送られるメッセージという形式を取っている。代わりに、一般に利用されている電子メールサービスでＣＬＳがメッセージを送ることで、この通知を行うこともできる。場合によっては、信頼度を高めるために、この両方の通知が行われることもある。
【０１２２】
以下の機能をＣＬＳに追加することができる。ユーザがこの例のビデオテープ等の物理的対象物の検索を命令する場合、ＣＬＳは要求の格納部の通知の他に、輸送取扱業者の通知も行う。
【０１２３】
例えば、ユーザと格納部が同じ企業と提携している場合、ＣＬＳは格納部で小荷物発送の準備をすぐに行うことを企業のメールサービスに通知する。メールサービスは小荷物を受け取るために適切な作業を行う。
【０１２４】
また、ダウンロードが不可能である資源のプロファイルに、資源が割れ物である、また大型である、あるいは重量があるといった内容の注記等の関連発送情報が含まれるようＣＬＳを構成することができる。ユーザが資源の物理的発送を要求する場合、ＣＬＳはプロファイルを検査し、関連発送情報が存在するか調べ、またその情報を輸送取扱業者に前もって知らせる。
【０１２５】
例えば、ＣＬＳがメールサービスに小荷物（ビデオテープ）が格納部での検索を待っている状態であることを知らせる場合、ＣＬＳはメールサービスに小荷物の寸法（非常に小型）も知らせるので、メールサービスは荷物を受け取る際に特別な準備が必要かどうか知ることができる。
【０１２６】
内部メールサービスに通知を行う別の方法としては、ＣＬＳは公営の郵便局に切迫した発送を通知し、小荷物を受け取るよう要求することができる。この通知は、一般に利用される電子メールサービスを使用して行われる。
【０１２７】
他の方法としては、図１０１に示すように、ユーザはファクシミリメッセージ（またはファックス）の送信を選択して、資源の注文を要求することができる。このファックス機能を実現する場合、構内サーバ、またはユーザのＰＣはファクシミリモデムを装備しなければならず、このことは従来より知られている。ファックスの内容は所定「形式」のレターであり、ＣＬＳはこれに資源の確認内容と資源の管理者が必要とする他の注文情報をこれに書き加える。
【０１２８】
資源の分類
資源は、フレキシブルディケット、ビデオテープ等の物理的対象物として「物理的」に、あるいはソフトウェア等のコンピュータダウンロード可能資源として「ソフト」に分類することができる。
【０１２９】
ユーザが「物理的」資源を注文する場合、上述したように、メッセージが資源の管理人に送られ、発送が要求される。ユーザが「ソフト」資源を注文する場合、資源はユーザに直接ダウンロードされる。
【０１３０】
図３１の表示の特徴
図３１は資源の一覧を示しており、これには「ソフト」及び「物理的」両タイプの資源が含まれている。「オンライン」の入力項目はソフト資源であるが、他のほとんどの入力項目は物理的資源である。
【０１３１】
ユーザが物理的資源をどれか注文する場合、ＣＬＳが資源の管理者に送信する情報は、管理者が自動注文対応機器を備えていれば、この管理者の自動注文対応を助長する形式になっている。
【０１３２】
例えば、一般の電子メールサービスには注文するユーザの氏名と住所が記載されている。この情報は、管理者の明細目録管理や製品注文書への記載が簡単な電子形式になっている。つまり、管理者の注文入力システムを処理するシステムで管理者が検索できるようなデータファイルにこの情報は含まれている。管理者は注文情報（購入者の氏名及び住所等）を手動式で、注文対応に使用されるファイルへ送ることができる。代わりに、管理者は注文情報の電子メールメッセージを探索し、また情報を管理者の注文対応ソフトウェアシステムに自動ロードするコンピュータプログラムを装備することもできる。例を示す。
【０１３３】
電子メールメッセージに以下のテキストが含まれているとする。
【０１３４】
注文項目：在庫番号ＡＢＣ１２３
購入者：ジョン・ブランク
住所：４３４３  Ｏａｋ  Ｔｅｒｒａｃｅ，Ｄａｙｔｏｎ，ＯＨ  ４５４７９
支払方法：（クレジットカードまたは内部または請求書送付）
クレジットカード番号：１１１１  ２２２２  ３３３３  ４４４４
管理者のプログラムは「注文した項目」という語のテキストを探索する。プログラムがこのテキストを見つけると、次の注文する在庫番号のテキストを探索して、在庫番号を注文対応ファイルにコピーする。
【０１３５】
プログラムは、同様に残りの情報を注文対応ファイルにコピーする。（「支払方法」という語は３つの可能性がある。注文を行う人は、数字の「１」、または「２」、または「３」を記入して、これらの内どれか一つを選ぶ。管理者のプログラムはこの選択を検出して、適切な支払処置の動作を開始する。
【０１３６】
一般に、管理者によって、必要な情報の項目も異なる。項目が分かれば、メッセージの形式は管理担当者が作成し、ＣＬＳが管理者に送るメッセージには通常の業務処理を行うのに必要な情報が全て記載されるようになるので、注文された資源を発送することができる。また、上述したように、メッセージによって、注文処理が自動的に開始される。
【０１３７】
格納部による探索及び確認
ＣＬＳ内でユーザのレベルが２であると仮定する。つまり、ユーザは図１０のオプション１を選択したことになり、これはレベル１を表す。
【０１３８】
レベル２では、図３４の作動したボタンで示すように、ユーザは今度は、格納部による探索及び確認を所望している。図３５に示すように、ＣＬＳは資源を保持する格納部全てを表示することで応答する。同図の強調表示された入力項目で示すように、ユーザが「売買コアサーバチーム」の格納部を選択すると仮定する。
【０１３９】
図３６及び図３７に示すように、ＣＬＳは選択された格納部が保持する資源を表示することで応答する。図３７の強調表示された項目で示すように、ユーザが「ウィンドウズＮＴ『適切な選択』」というタイトルの資源を選択するものとする。
【０１４０】
この選択に対する応答として、資源を検索し、また資源を表示するのにプログラムが必要であるのならばそれを確認するために、（上述したように）資源の検査を行う。この特定の資源は「パワーポイント」という名称のプログラムを必要とするが、このプログラムはマイクロソフト社より購入可能で、また資源の名前に含まれる「．ＰＰＴ」という接尾辞によって示される。
【０１４１】
ＣＬＳはパワーポイントプログラムを開始させ、資源をプログラムにロードするので、図３８に示すように資源を意図する形式で表示することができる。
【０１４２】
システムによる探索及び確認
ＣＬＳ内のユーザのレベルが２であると仮定する。つまり、図１０のオプションを選択したことになり、これはレベル１を示している。
【０１４３】
レベル２では、図３９の作動したボタンで示すように、ユーザは今度はシステムでの探索及び確認を所望している。図４０に示すように、その応答として、ＣＬＳはユーザが入手できるシステムの一覧を表示する。
【０１４４】
「システム」という言葉は、株式市場報告書、新聞、雑誌等、ユーザへのダウンロードが可能な一連の情報を保持する団体を指している。システムの３種類の例はすでに上記に挙げた。
【０１４５】
図４１に示すように、ユーザがシステムを選択する場合、ＣＬＳはユーザをそのシステムに接続する。ユーザはシステムにアクセスし、ＣＬＳの外部でシステムに接続したかのようにシステムを同様に使用する。システムに接続すると、ＣＬＳは図４２に示すような適切な画面を表示する。
【０１４６】
格納部への資源の追加
ユーザは図４３に示すボタンを作動させてレベル１に戻ることが可能で、これにより図４４に示す画面が表示される。ＣＬＳはユーザをレベル１に戻している。
【０１４７】
ユーザがオプション＃２の「提供及び発送」を選んだとする。このオプションに対する応答で、ＣＬＳは図４６に示す画面を表示し、これによりユーザは図示する「提供」オプションを選択することができる。この画面は、ユーザが格納部に提供しようとしている資源のプロファイルを示している。図４６〜図５４に示す順序で、ユーザは通常の方法でプロファイルの記入を行う。重要な点が幾つかある。
【０１４８】
今提供者であるユーザは、図４６の上部右側のボックスを選択することにより「アクセスレベル」を言明する。ユーザが「公共」を選択すると、ＣＬＳにアクセスしている人は新たに追加された資源にアクセスすることができる。  ユーザが「組織」または「チーム」を選択すると、ユーザのそれぞれの組織またはチームのメンバーのみにアクセスできる。ユーザが複数のチームまたは組織に属する場合、ＣＬＳはアクセスを認める相手先を指定するようユーザに要求する。
【０１４９】
もちろん、「資源タイトル」はプロファイルに表示されるタイトルである。後に他のユーザがＣＬＳを使用して探索を行うと、タイトルの一覧の中においてこのタイトルがこのユーザに対して表示される。
【０１５０】
「資源カテゴリー」は、図２３〜図２６に関連して説明した「カテゴリー」を示す。現在作成中の資源は、図４６のプロファイルで指定したカテゴリーに属することになる。後から使用したユーザがこのカテゴリーを探索すると、新たに作成した資源のタイトルが常に捜し出される。（もちろん、新しい資源のアクセスが特定の「チーム」に限定される場合、及び後から使用したユーザがこの「チーム」のメンバーでない場合は、この後から使用したユーザはいかなる探索を行ってもタイトルを見ることができない。この点については、明細書の最後の部分で説明する。）
提供者がＣＬＳの提示するカテゴリーが適切でないと判断した場合（これらのカテゴリーはシステムの他のユーザによって以前に作成された）、提供者は新規のカテゴリーを作成することができる。提供者はオプションの「その他」を選んで作成を行うが、これは提供者が図４６〜図５４において「情報カテゴリー」のラベルの付いたボックスを作動させたときに表示される。その後、新規のカテゴリーがカテゴリーの一覧に追加され、カテゴリーの確認を次に選択するユーザ全てに表示される。
【０１５１】
図４６の「格納部」は、資源を受けとってこれを保持する格納部を示す。
【０１５２】
「媒体」は、図３２に示すような媒体の種類を示している。
【０１５３】
「ビットマップ」は図形映像や写真のことを指し、提供者はこれをプロファイルに関連付けさせることができる。図５１及び図５２は、プロファイルを作成する際に、提供者がこの映像を含むファイルを識別する様子を示している。ファイルが識別されると、ＣＬＳはこれをプロファイルで保存する。次に、他のユーザがプロファイルを呼び出したときに、「ビットマップ」オプションを作動させることができ、またＣＬＳは図形映像を表示する。
【０１５４】
例えば、プロファイルの資源が自動車の燃料ポンプ等の物理的対象物である場合、図形映像はポンプの写真になる。
【０１５５】
作成したばかりの資源の探索
図４１〜図５４では、新しい資源のプロファイル作成に付いて説明した。図５４に示すように、このプロファイルには「トレーニング用テスト資源」というタイトルが付けられた。図５５は探索要求を示しており、この要求は探索及び確認オプションで出され、この新たに作成された資源を捜すために実行される。
【０１５６】
図５６は探索の結果を示している。新しい資源はユーザによって強調表示され、資源プロファイルオプションが選択される。ユーザが図面の上部右側にある「資源プロファイル」のラベルの付いたボタンを作動させると、図５７に示すようにＣＬＳがこの強調表示された資源のプロファイルを表示する。
【０１５７】
（ユーザが図面の底部にある適切なボタンを作動させて「Ｅメール」オプションを選択するが、Ｅメールオプションを使用できないときは、ＣＬＳは図５８に示すメッセージで応答する。）このメッセージはファイルの電子郵送が不可能であることを示しているが、資源の位置を指定し、また資源の確認を希望するかどうかユーザに質問している。ユーザがイエスを選択すると、図５９に示すように、ＣＬＳは資源を表示する。
【０１５８】
常時探索の確立
（レベル１−関心の識別）
要するに、このオプションによって、ユーザは上記の図１４〜図１７で説明した探索に類似した常時探索を確立することができる。しかしながら、この常時探索は、格納部の探索をすぐに始めるのではなく、新しい資源がその格納部に追加された直後に新しい資源の調査を行う。常時探索の実行頻度はユーザが制御する。
【０１５９】
従って、ユーザが例えば小児用医薬品の新開発に関心を持っている場合、ユーザは興味の対象の適切なカテゴリーにおいて常時探索を確立する。ユーザはこの常時探索の確立を以下のように行う。
【０１６０】
図６０に示すように、レベル１では、ユーザはオプション＃３の「関心の識別」を選択することができる。ＣＬＳは、図６１に示す画面を表示することで応答する。ユーザがオプション＃２の「関心の追加／削除」を選択するとする。
【０１６１】
ＣＬＳは図６２に示す画面を表示するが、この画面でユーザは関心を説明する語句を入力する。ユーザは語句を入力するか、あるいは図６３に示すように（もし存在すれば）ユーザの今確立した関心を確認することもできる。図６４は現在の関心、すなわち「ＣＬＳ］を示している。この関心は前回の探索が実行された後で保存された。
【０１６２】
ユーザが関心を作成する特定の方法（（ａ）図６３の語句を直接入力する方法、（ｂ）以前の関心を再呼出する方法、（ｃ）以前の関心を変更する方法）とは無関係に、ＣＬＳは以下の方法で関心に作用する。
【０１６３】
関心が作成されたときにユーザが指定を行うと、ＣＬＳは関心の探索基準に従って、自動的に各新規プロファイルを探索する。
【０１６４】
探索中、探索基準が満たされると、ＣＬＳはこのことをユーザに通知する。ＣＬＳは、小さなイコンをユーザのコンピュータの画面に表示することにより通知を行う。このイコンはユーザの作業の妨げにはならない。このようなイコンは図１０の下部左隅に表示されており、「通知９回」を示しているが、これは常時探索または関心に一致する９種類のプロファイルが見つかったことを意味している。
【０１６５】
図６７に示すように、下部左にあるボタンを作動させることにより、ユーザは「通知１０回」という語句に関する探索結果を見ることができる。図６７に示すように、探索結果が表示される。
【０１６６】
図６５はユーザが終了を行う画面を示している。終了させると、ＧＵＩは図６６に示す画面を表示する。数字の１０と「ＮＣＲ連続学習」というラベルの付いたイコンは、常時探索または関心の結果を示している。このレベルから探索結果を見るときは、ユーザはこのイコンを作動させればよく、図６７に示す画面が表示される。表示は、探索基準に合う探索されたプロファイルの一覧である。
【０１６７】
終了の際の保存注意
ユーザがＣＬＳの終了を所望する場合、図６８に示すように、ユーザは終了ボタンを作動させる。ＣＬＳにダウンロードされたが保存されていない構内ファイルがある場合、ＣＬＳはそのときに図６９に示す画面によってこのことをユーザに知らせる。ユーザは適切な作業を行う。（当然ダウンロードされた項目の原物はそれぞれの資源に存在し、ユーザが図６９に示す警告画面を無視しても消失してしまうことはない。）
ＣＬＳを終了させると、図形ユーザインタフェースが図７０に似た画面を表示する。
【０１６８】
チーム会員の変更
図７１は、ＣＬＳ管理担当者がチーム会員を管理していることを説明しており、またこれに続く図面でチーム会員の変更を図示するというシナリオを示している。これらの画面は、ＣＬＳを実行させるサーバの管理担当者にのみ表示され、ユーザには表示されない。
【０１６９】
図７２において、管理担当者が会員ボタンを作動させる。図７３に示すように、ＣＬＳは会員の一覧とそれぞれのチームにおける役割を表示することで応答する。チームにおける役割の前に「＠」の記号が付される。
【０１７０】
図７４では、チームに会員を追加するので、管理担当者はＡＤＤボタンを押す。ＣＬＳは、図７５西目巣画面を表示することで応答する。管理担当者は要求された情報を入力し、画面で適切なボタンを作動させる。
【０１７１】
ＣＬＳは、図７５に示す画面で識別された人物を適切なチームに追加する。新しいチームの会員は、図７６に示すように表示される。
【０１７２】
図７６の画面も、管理担当者の制御でチームのメンバー変更を開始するのに使用される。（各サーバの管理担当者はそのサーバのチーム会員を取り扱う。）管理担当者がチームのボタンを作動させると、ＣＬＳは図７７に示す画面を表示する。分かりやすくするため、１チーム、すなわち「ＣＬＳ管理ユーザ」のみを示している。
【０１７３】
管理担当者が変更ボタンを押すと、ＣＬＳは図７８に示す画面を表示する。上部の枠には、図７７で選択されたチームの現在の会員の一覧が示されている。下部の枠は、いずれ会員になると思われる者の名簿を示している。この名簿には、管理担当者の制御のもとでサーバを使用する全ユーザが含まれている。
【０１７４】
図７９の強調表示で示すように、管理担当者はチームに追加される下部の枠のユーザを選択し、そして図８０に示すように追加ボタンを作動させる。図８１に示すように、ＣＬＳは選択されたユーザをチームに追加する。
【０１７５】
特定チームに限定される資源の作成
図８２は、管理担当者が作成中で、また「ＣＬＳ保全要求事項についての機密報告」というタイトルの好例の資源のプロファイルを示している。プロファイルは図８３に示すように作成され、また図示するように資源へのアクセスは「ＣＬＳ管理ユーザ」という記号に隣接する入力項目によって制限される。
【０１７６】
（作成後の）資源への限定アクセスを説明すると、管理担当者はまず通常新たに作成した資源を捜し出す探索（図示しない手順を使用するが、図１５〜図１７を参照して上述した）を行う。探索の結果は、図８４に示す通りである。作成したばかりの資源である「…機密報告」は、一覧の底部に表示される。
【０１７７】
図８５で説明するように、管理担当者は次に、この「…機密報告」にアクセスしたチームの会員ではないユーザによって実行される探索をシミュレートする。図８５及び図８６に示すように、チームの非会員は通常「…機密報告」を捜し出す探索を実行する。しかしながら、図８８は探索の結果を示しているが、これはこのユーザが入手できる資源の一覧から「…機密報告」は除外してしまう。
【０１７８】
この結果は、資源にアクセスできるチームを識別することによって、資源の作成者が資源へのアクセスを制御することを示している。
【０１７９】
プログラムのフローチャート
図８９〜図１０１は、本発明によるプログラムによって生じる論理のフローチャートを示している。このプログラムは、インテル社より購入可能なマイクロプロセッサ８０Ｘ８６ファミリーを使用してコンピュータで実行されるように書かれている。フローチャートにより、ユーザは他のプロセッサで実行できるコードを作成することができる。
【０１８０】
フローチャートにおいて、「図」は特許図面を示している。例えば、図８９のフローチャートでは、大きなボックスの第４段落に「図６参照…」と書いてあるが、これは図１１を示している。
【０１８１】
ファイルの簡単な説明
フローチャートで識別されているファイルは以下のように要約される。
【０１８２】
１．ＭＡＩＮＣＡＴ１．ＯＢＳ−目的：メイン画面。
【０１８３】
以下の４種類のイコン−ボタンを作成する。
【０１８４】
（１）探索及び確認（ＭＡＩＮＣＡＴ２参照）、
（２）関心の識別（ＭＡＩＮＣＡＴ３参照）、
（３）個人情報（ＭＡＩＮＣＡＴ参照）、
（４）提供または発送（ＭＡＩＮＣＡＴ５参照）。
【０１８５】
予約待機、点検、ボタン
２．ＭＡＩＮＣＡＴ２．ＯＢＳ−探索及び確認画面
以下の８種類のイコン−ボタンを作成する。
【０１８６】
（１）資源カタログ（ＡからＺ）（ＭＡＩＮＣＡＴ１参照）、
（２）探索（ＳＲＣＨＮＥＷ参照）、
（３）資源カタログ−カテゴリー（ＭＡＩＮＣＡＴ１参照）、
（４）媒体による探索（ＭＡＩＮＣＡＴ１参照）、
（５）格納部による探索（ＭＡＩＮＣＡＴ１参照）、
（６）システム（ＭＡＩＮＣＡＴ１参照）、
（７）関心で保存（ＰＲＯＦＩＬＥ参照）、
（８）メインメニューに戻る。
【０１８７】
３．ＭＡＩＮＣＡＴ３．ＯＢＳ−関心の識別画面。
【０１８８】
以下の２種類のイコン−ボタンを作成する。
【０１８９】
（１）関心の確認（ＰＲＯＦＩＬＥ参照）、
（２）関心の管理（ＰＲＯＦＩＬＥ参照）。
【０１９０】
４．ＭＡＩＮＣＡＴ４．ＯＢＳ−個人情報画面。
【０１９１】
以下の２種類のイコン−ボタンを作成する。
【０１９２】
（１）個人プロファイルの確認（ＵＳＥＲ２参照）、
（２）パスワード変更（ＰＷＤＣＨＧ参照）。
【０１９３】
５．ＭＡＩＮＣＡＴ．ＯＢＳ−提供または発送システム。
【０１９４】
以下の２種類のイコン−ボタンを作成する。
【０１９５】
（１）提供（ＣＡＴＡＤＭＩＮ参照）、
（２）会員（管理のみ）（ＭＥＭＢＥＲＳ  Ｎ／Ａ参照）
６．ＣＡＴ１．ＯＢＳ−「ＡからＺ」、カテゴリー、媒体、格納部による探索及び確認への会話型画面、及びＣＬＳから使用可能な代替システム確認用（ＲＥＳＵＬＴＳ．ＯＢＳ参照）。
【０１９６】
７．ＳＲＣＨＮＥＷ．ＯＢＳ−一般的な探索画面、すなわち、タイトル、説明、日付の論理的な組み合わせによるＣＬＳデータベースの探索を行うユーザ会話型画面（ＲＥＳＵＬＴＳ．ＯＢＳ参照）。
【０１９７】
８．ＲＥＳＵＬＴＳ．ＯＢＳ−結果画面（探索で捜し出された入力項目数、入力項目一覧、「情報追加」ボタン、ＯＫボタン、キャンセルボタンを含む）。主要機能ｃａｔａｌｏｇｉｎｆｏ（）はプロファイル情報を獲得し、また必要であれば、対応するファイルを検索して、適切なアプリケーションにおいて構内でそのファイルを開く。またプロファイルを表示するときはＣＡＴＤＢＦ１を呼び出す。
【０１９８】
９．ＰＲＯＦＩＬＥ．ＯＢＳ、ＰＲＯＦＩＬＥ１．ＯＢＳ−関心の追加及び削除を行う画面。
【０１９９】
１０．ＣＡＴＡＤＭＩＮ．ＯＢＳ−アクセス可能な資源のプロファイルを管理するための画面（特に、新規、変更、削除）。（ＮＣＲＣＡＴ．ＩＮＣも参照すること（特に、Ｍｏｄｉｆｙ（）で呼び出すＧｅｔｉｎｆｏ（）機能。ＤＩＡＬＯＧ．ＯＢＳも参照すること。）
重要なサブルーチン：Ｃｏｍｍｉｔ（）（ＯＫ）、Ｍｏｄｉｆｙ（）、ＦＩＤ２０６（）（削除）。
【０２００】
１１．ＭＥＭＢＥＲＳ．ＯＢＳ−全チーム会員を一覧表示し、また管理担当者による会員の追加、変更、削除を可能にする。（ＵＳＥＲＡＤＭ．ＯＢＳ参照。）
１２．ＣＡＴＤＢＦ．ＯＢＳ−プロファイルデータと仲介者についての情報を表示し、また仲介者から直接更に多くの情報を要求するよう機能する。更に、対応する「オンライン」ファイルを検索し、またＲＥＳＵＬＴＳ．ＯＢＳと同様に適切なアプリケーションにおいてそのファイルを構内で開くことも可能である。（ＱＴＹ．ＯＢＶ参照。）
１３．ＵＳＥＲＡＤＭＩＮ．ＯＢＳ−ＣＬＳから会員の追加、変更、削除を行う画面。（ＮＥＷＯＲＧ．ＯＢＳ参照。）
１４．ＣＬＮＳＩＧＮ１．ＯＢＳ−ＣＬＳの初始動合図を目的とする。図８参照。Ｖｅｒｉｆｙ（）はサーバへの単一ログオンを実行する（ここでＳｅｒｖｅｒ＄が表示される。）
１５．ＰＷＤＣＨＧ．ＯＢＳ−ユーザによるパスワード変更を可能にする画面。
１６．ＵＳＥＲ２．ＯＢＳ−ユーザによるその個人情報プロファイル（例えば、名称、Ｅメールアドレス、ユーザ環境）確認を可能にする画面。情報の維持及び編集は管理担当者のみが行う。
【０２０１】
１７．ＮＥＷＯＲＧ．ＯＢＳ−「組織」を定義するためにＣＬＳ管理担当者が使用する画面（「ＩＰＤのみ」／「組織」チェックボックスのＣＡＴＡＤＭＩＮで使用。）
１８．ＤＩＡＬＯＧ．ＯＢＳ−ＣＡＴＡＤＭＩＮ．ＯＢＳのＳＵＢＦＩＤ２５７より「ビットマップ」／「プレビュー」の追加を行う。
【０２０２】
１９．ＡＢＯＵＴ．ＯＢＳ−この画面でＣＬＳにバージョン及びシステム情報を提供し、またＣＲＥＤＩＴＳ．ＯＢＶへのアクセスを行う。
【０２０３】
２０．ＡＤＶＩＳＯＲ．ＯＢＳ−ＭＡＩＮＣＡＴ１．ＯＢＳの５９３〜６１６行目から動作する。以下の指示番号７で説明するように、このモジュールは補助操作指示の一覧表示を実行する。
【０２０４】
２１．ＡＬＥＲＴ．ＯＢＳ−ＭＡＩＮＣＡＴ１．ＯＢＳの５９０行目から動作する。以下の指示番号８で説明するように、このモジュールにより、管理担当者は選択されたユーザと個人的に通信することができる。
【０２０５】
２２．ＣＬＮＳＡＶＥ．ＯＢＳ−ＣＬＳからファイルを保存する画面。
【０２０６】
２３．ＣＬＳＩＮＴＲＯ．ＯＢＳ−ＣＬＳが実行する前に表示される画面に関連する。
【０２０７】
２４．ＣＲＥＤＩＴＳ．ＯＢＳ−ＣＬＳ製品の広告。
【０２０８】
他の考察
１．各格納部は、サーバと呼ばれるコンピュータに関連する大容量メモリーである。（格納部はサーバと大容量メモリーを兼ね備えることも可能である。）
格納部は資源のプロファイルを保持している。資源の中にはダウンロード可能なものもあり、大容量メモリーに保存される。他の資源はダウンロードが不可能であり、各プロファイルの指定された場所に保存される。
【０２０９】
本発明は、ユーザに分かり易い方法で格納部全てを互いに連結する。例えば、上述したように、どの格納部に資源が保持されていてもユーザは資源全てのタイトルの一覧表示を要求することが可能である。
【０２１０】
資源全てが単一の格納部にあるかのように一覧がユーザに表示されるが、一般に、このようなことはなく、複数の格納部に資源は分散されている。
【０２１１】
もちろん、一覧に表示されたタイトルを有する特定のプロファイルをユーザが呼び出すと、プロファイルは格納部を識別する。ユーザが複数のプロファイルを調べると、複数の格納部が関わっていることが分かる。
【０２１２】
別の観点から見てみると、どのユーザも全格納部に含まれるプロファイルにアクセスすることができる（上述したアクセス／保全制限がある）。複数の格納部がプロファイルを保持しているにも関わらず、これらのプロファイルはそのとき（または関心を確立して作成されたときに）探索される。
【０２１３】
また、資源を保持しているのがどの格納部であっても、どのユーザもプロファイルで識別された資源を入手することができる（これにも保全制限がある）。
【０２１４】
従って、資源及びそのプロファイルが複数の格納部に分散されていても、更にその分散が世界規模の場合もありうるが、ユーザは単一の場所にあるかのようにそれらを取り扱うことができる。
【０２１５】
上述したように、ソフト資源は構内サーバに配置されている。プロファイルは地域サーバに配置されている。
【０２１６】
２．資源がサーバにダウンロードされると、資源を適切に表示するために、本発明は資源を検査して、コンピュータプログラムを始動すべきか、あるいは他の処置を取るべきか判断する。ある検査では、資源のファイル名を確認する。例えば、ファイル名「Ｌｅｔｔｅｒ．ｄｏｃ」は、ファイルに接尾辞「ｄｏｃ」を習慣的に付すワードプロセッサによって作成されたものと解釈される。
【０２１７】
本発明がこの接尾辞「ｄｏｃ」を捜し出す場合、本発明は索引表と照らし合わせて、接尾辞「ｄｏｃ」を使用するプログラムを見つけ、次にそのプログラムを捜し出して実行を開始し、そして資源をそのプログラムにロードする。
【０２１８】
他の検査では、資源の見出しに書かれたデータを確認する。これらの検査は、資源を作成するプログラムを識別する印の捜し出しとして総括的に説明することができる。
【０２１９】
３．本発明の顕著な特徴の一つに、ユーザの使用可能なオプションが全て本発明の作成する画面に表示されるという点が挙げられる。オプションの選択は自己解釈的である。すなわち、（例えば）指示機器が使用される。
【０２２０】
オプションが必要とする情報の提供も自己解釈的である。つまり、キーボードを使用して図５０に示すような空欄にユーザが入力を行うからである。  この機能により、ユーザは機密のコンピュータコマンドを記憶する必要がなくなり、また本発明の使用方法を憶える時間も節約される。
【０２２１】
４．上述したように、プロファイルは地域サーバに保存され、またダウンロード可能な資源は構内サーバに保存される。地域サーバに保存されたプロファイルで説明される物理的資源は、都合の良い位置に保存することが可能である。
【０２２２】
性能を向上させるために、複数の地域サーバは一連の同様のプロファイルを保存する。つまり、複数の地域サーバは、単一の地域サーバであり得る多数のユーザに迅速に応答することができる。
【０２２３】
５．図１００は、ＭＥＭＢＥＲＳＨＩＰ．ＯＢＶ及びＭＥＭＢＥＲＳＨＩＰ．ＯＢＳの両ファイルが含まれていないことを示している。それは、これらのファイルは実際の会員リストを含んでいる。これらのリストはＣＬＳのユーザによって作成される。
【０２２４】
６．図７には、薄いグレーの活字で「ＣＬＳ概要」という言葉が示されている。これは、ＣＬＳシステムの使用方法を説明する６画面指導を見るためのユーザのオプションを示している。ユーザが初回にログオンすると、指導は自動的に表示される。図７に示すように、グレーのテキストにプションを表示する指導を終了させることができる。
【０２２５】
７．ユーザが管理担当者にシステムの操作に関する質問をすることが分かっている。これらの質問は、電話、手紙、電子メール等のそれぞれ都合の良い手段で管理担当者に伝えられる。
【０２２６】
本発明により、管理担当者はこのような質問の一覧及び質問に対する答（あるいは選択された一連の質疑応答）をユーザに提示することができる。ユーザは、「ＣＬＳアドバイザー」というラベルの付いた図１０のボタンにより、このような質問にアクセスする。
【０２２７】
実際には、管理担当者は質問の一覧の更新を継続して行うようになるので、システムの操作指示の一覧の更新を継続して行うことができる。
【０２２８】
８．ＣＬＳにより、管理担当者は個人メッセージを単一のユーザに送信することができる。メッセージが到着すると、イコンがユーザの画面に表示され、ユーザにメッセージを知らせる。
【０２２９】
定義。ここで使用する用語には、技術的に確立された意味を有する。他の定義は以下の通りである。
【０２３０】
「パーソナルコンピュータ」またはＰＣという用語を使用した。この用語がインテル社で製造された８ＸＸ８６マイクロプロセッサで使用されているアーキテクチャを有する特定のマイクロコンピュータに限定されないことはいうまでもない。この用語は一般的にマイクロコンピュータを指し、また、例えばデスクトップコンピュータ、ラップトップコンピュータ、ワークステーション、端末等を含む。この用語には、異なるアーキテクチャに従って設計され、また異なるプロセッサを使用する機器が含まれる。
【０２３１】
サーバはコンピュータであり、また大型のメインフレームの形式を取ることが頻繁にある。しかしながら、コンピュータ技術が進歩したため、メインフレームの動力は非常に小型の機器で使用できるようになってきている。
【０２３２】
本発明の顕著な特徴の一つとして、本発明により、所定のＰＣがサーバまたはサーバのクライアントとしても動作できるようになったことが挙げられる。
【０２３３】
資源については上記に説明した。資源は格納部に位置している。資源がダウンロード可能なデータである場合、このような資源はサーバの大容量記憶装置（例えばディスクドライバやテープシステム）に保存され得る。
【０２３４】
しかしながら、この大容量記憶装置を直接「オンライン」にする必要はない。つまり、例えば、記憶ラックに保持される磁気テープやフロッピーディスク等の磁気媒体に所定の資源を保存することができる。媒体はラックに位置しているが、コンピュータによって媒体が読み出されることはないため、「オンライン」であるとは考えられない。データにアクセスするには、テープやディスクを適切なドライブにロードしなければならない。
【０２３５】
資源が物理的対象物の形式を取っている場合、資源は同様に倉庫などの他の種類のものに保存される。
【０２３６】
プロファイルは資源を説明する一連の情報である。
【図面の簡単な説明】
【図１】  図１は、資源のサーバ内保存の概念と、プロファイルと各資源との関連を示している。
【図２】  図２は、２種類の異なる基準による資源の分割方法を示している。すなわち、資源は情報を含んでいるか否かで分類される。資源もダウンロード可能か否かで分類される。
【図３】  図３は、サーバのクライアントによるクライアントのサーバ内にある資源及び他のサーバ内にある資源へのアクセス方法を示す。
【図４】  図４は、資源としてのサーバを見る方法を示す。
【図５】  図５は、地域サーバ内のプロファイルの保存及び構内サーバ内の資源の保存を示す。
【図６】  図６は、ログオン処理の間に本発明がユーザのコンピュータに表示する画面を示す。図示するイコンの多くはユーザのコンピュータによって異なり、ユーザが所有するソフトウェアに関連する。「連続学習システム」というラベルの付いたボックス内の表示は、本発明が使用するプログラムに関連している。
【図７】  図７は、ログオン処理の間に本発明がユーザのコンピュータに表示する画面を示す。図示するイコンの多くはユーザのコンピュータによって異なり、ユーザが所有するソフトウェアに関連する。「連続学習システム」というラベルの付いたボックス内の表示は、本発明が使用するプログラムに関連している。
【図８】  図８は、ログオン処理の間に本発明がユーザのコンピュータに表示する画面を示す。図示するイコンの多くはユーザのコンピュータによって異なり、ユーザが所有するソフトウェアに関連する。「連続学習システム」というラベルの付いたボックス内の表示は、本発明が使用するプログラムに関連している。
【図９】  図９は、ログオン処理の間に本発明がユーザのコンピュータに表示する画面を示す。図示するイコンの多くはユーザのコンピュータによって異なり、ユーザが所有するソフトウェアに関連する。「連続学習システム」というラベルの付いたボックス内の表示は、本発明が使用するプログラムに関連している。
【図１０】  図１０は、ユーザの選択するオプションを提示するレベル１の画面を示す。
【図１１】  図１１は、ユーザの選択するオプションを提示するレベル１の画面を示す。
【図１２】  図１２は、図１０、図１１の「探索及び確認」オプションの選択に対する応答として、レベル２で表示される画面を示す。
【図１３】  図１３は、図１０、図１１の「探索及び確認」オプションの選択に対する応答として、レベル２で表示される画面を示す。
【図１４】  図１４は、ユーザによるブール式キーワード探索の実行方法を示す。
【図１５】  図１５は、ユーザによるブール式キーワード探索の実行方法を示す。
【図１６】  図１６は、ユーザによるブール式キーワード探索の実行方法を示す。
【図１７】  図１７は、探索の間にユーザが探索する資源をダウンロードするときに表示される画面を示す。
【図１８】  図１８は、探索の間にユーザが探索する資源をダウンロードするときに表示される画面を示す。
【図１９】  図１９は、探索の間にユーザが探索する資源をダウンロードするときに表示される画面を示す。
【図２０】  図２０は、資源を作成したプログラムの始動により、ダウンロードされた資源の表示を示す。
【図２１】  図２１は、図１４、図１５、図１６で説明した探索の変更を示す。
【図２２】  図２２は、図１４、図１５、図１６で説明した探索の変更を示す。
【図２３】  図２３は、資源が分類されているカテゴリーを基にした資源の探索を示す。
【図２４】  図２４は、資源が分類されているカテゴリーを基にした資源の探索を示す。
【図２５】  図２５は、資源が分類されているカテゴリーを基にした資源の探索を示す。
【図２６】  図２６は、資源が分類されているカテゴリーを基にした資源の探索を示す。
【図２７】  図２７は、資源が分類されているカテゴリーを基にした資源の探索を示す。
【図２８】  図２８は、資源が分類されているカテゴリーを基にした資源の探索を示す。
【図２９】  図２９は、資源が分類されているカテゴリーを基にした資源の探索を示す。
【図３０】  図３０は、資源が保存されている媒体を基にした資源の探索を示す。
【図３１】  図３１は、資源が保存されている媒体を基にした資源の探索を示す。
【図３２】  図３２は、資源が保存されている媒体を基にした資源の探索を示す。
【図３３】  図３３は、資源が保存されている媒体を基にした資源の探索を示す。
【図３４】  図３４は、資源が保存されている格納部を基にした資源の探索を示す。
【図３５】  図３５は、資源が保存されている格納部を基にした資源の探索を示す。
【図３６】  図３６は、資源が保存されている格納部を基にした資源の探索を示す。
【図３７】  図３７は、資源が保存されている格納部を基にした資源の探索を示す。
【図３８】  図３８は、図３７で識別された資源の検索を示す。
【図３９】  図３９は、本発明によりユーザのアクセスが可能な他のシステムを示す。
【図４０】  図４０は、本発明によりユーザのアクセスが可能な他のシステムを示す。
【図４１】  図４１は、本発明によりユーザのアクセスが可能な他のシステムを示す。
【図４２】  図４２は、本発明によりユーザのアクセスが可能な他のシステムを示す。
【図４３】  図４３は、レベル１への戻りを示す。
【図４４】  図４４は、レベル１への戻りを示す。
【図４５】  図４５は、資源に関連するプロファイルの作成を示す。
【図４６】  図４６は、資源に関連するプロファイルの作成を示す。
【図４７】  図４７は、資源に関連するプロファイルの作成を示す。
【図４８】  図４８は、資源に関連するプロファイルの作成を示す。
【図４９】  図４９は、資源に関連するプロファイルの作成を示す。
【図５０】  図５０は、資源に関連するプロファイルの作成を示す。
【図５１】  図５１は、資源に関連するプロファイルの作成を示す。
【図５２】  図５２は、資源に関連するプロファイルの作成を示す。
【図５３】  図５３は、資源に関連するプロファイルの作成を示す。
【図５４】  図５４は、資源に関連するプロファイルの作成を示す。
【図５５】  図５５は、資源に関連するプロファイルの作成を示す。
【図５６】  図５６は、資源に関連するプロファイルの作成を示す。
【図５７】  図５７は、資源に関連するプロファイルの作成を示す。
【図５８】  図５８は、資源に関連するプロファイルの作成を示す。
【図５９】  図５９は、資源に関連するプロファイルの作成を示す。
【図６０】  図６０は、先の指定時間での新規プロファイルの探索命令である関心の確立を示す。
【図６１】  図６１は、先の指定時間での新規プロファイルの探索命令である関心の確立を示す。
【図６２】  図６２は、先の指定時間での新規プロファイルの探索命令である関心の確立を示す。
【図６３】  図６３は、先の指定時間での新規プロファイルの探索命令である関心の確立を示す。
【図６４】  図６４は、先の指定時間での新規プロファイルの探索命令である関心の確立を示す。
【図６５】  図６５は、関心の探索の間の時間の経過を示す。
【図６６】  図６６は、関心の探索の間の時間の経過を示す。
【図６７】  図６７は、関心の探索結果を示す。
【図６８】  図６８は、レベル１への戻りを示す。
【図６９】  図６９は、ダウンロードされたファイルが提示されているがまだ保存されていない場合に、ユーザが終了を行おうとする際に表示される警告を示す。
【図７０】  図７０は、図形ユーザインタフェースＧＵＩによって表示される代表的な画面のレイアウトを示す。プログラム及びコンピュータに保存されるプログラムを示す特定のイコンは、もちろんコンピュータによって異なる。
【図７１】  図７１は、管理担当者によるチームの会員の変更と、チームによる資源へのアクセス制御の様子を示す。
【図７２】  図７２は、管理担当者によるチームの会員の変更と、チームによる資源へのアクセス制御の様子を示す。
【図７３】  図７３は、管理担当者によるチームの会員の変更と、チームによる資源へのアクセス制御の様子を示す。
【図７４】  図７４は、管理担当者によるチームの会員の変更と、チームによる資源へのアクセス制御の様子を示す。
【図７５】  図７５は、管理担当者によるチームの会員の変更と、チームによる資源へのアクセス制御の様子を示す。
【図７６】  図７６は、管理担当者によるチームの会員の変更と、チームによる資源へのアクセス制御の様子を示す。
【図７７】  図７７は、管理担当者によるチームの会員の変更と、チームによる資源へのアクセス制御の様子を示す。
【図７８】  図７８は、管理担当者によるチームの会員の変更と、チームによる資源へのアクセス制御の様子を示す。
【図７９】  図７９は、管理担当者によるチームの会員の変更と、チームによる資源へのアクセス制御の様子を示す。
【図８０】  図８０は、管理担当者によるチームの会員の変更と、チームによる資源へのアクセス制御の様子を示す。
【図８１】  図８１は、管理担当者によるチームの会員の変更と、チームによる資源へのアクセス制御の様子を示す。
【図８２】  図８２は、プロファイルに相当する資源へアクセスするチームのプロファイルでの識別を示す。
【図８３】  図８３は、プロファイルに相当する資源へアクセスするチームのプロファイルでの識別を示す。
【図８４】  図８４は、チーム会員に提示されるサンプル探索の結果を示す。会員は一覧表示される全２１種類の資源にアクセスすることができる。
【図８５】  図８５は、以下の図面を説明している。
【図８６】  図８６は、図８４に示す全２１種類の資源にアクセスしないユーザによって行われる探索を示す。図８８は、この人物がアクセスする資源を示し、また一覧は図８４のものと異なる。
【図８７】  図８７は、図８４に示す全２１種類の資源にアクセスしないユーザによって行われる探索を示す。図８８は、この人物がアクセスする資源を示し、また一覧は図８４のものと異なる。
【図８８】  図８８は、図８４に示す全２１種類の資源にアクセスしないユーザによって行われる探索を示す。図８８は、この人物がアクセスする資源を示し、また一覧は図８４のものと異なる。
【図８９】  図８９は、本発明によるプログラムの論理の流れを説明するフローチャートを示す。
【図９０】  図９０は、本発明によるプログラムの論理の流れを説明するフローチャートを示す。
【図９１】  図９１は、本発明によるプログラムの論理の流れを説明するフローチャートを示す。
【図９２】  図９２は、本発明によるプログラムの論理の流れを説明するフローチャートを示す。
【図９３】  図９３は、本発明によるプログラムの論理の流れを説明するフローチャートを示す。
【図９４】  図９４は、本発明によるプログラムの論理の流れを説明するフローチャートを示す。
【図９５】  図９５は、本発明によるプログラムの論理の流れを説明するフローチャートを示す。
【図９６】  図９６は、本発明によるプログラムの論理の流れを説明するフローチャートを示す。
【図９７】  図９７は、本発明によるプログラムの論理の流れを説明するフローチャートを示す。
【図９８】  図９８は、本発明によるプログラムの論理の流れを説明するフローチャートを示す。
【図９９】  図９９は、本発明によるプログラムの論理の流れを説明するフローチャートを示す。
【図１００】  図１００は、本発明によるプログラムの論理の流れを説明するフローチャートを示す。
【図１０１】  図１０１は、本発明によるプログラムの論理の流れを説明するフローチャートを示す。
【図１】
0003693699.tif 000002
【図２】
0003693699.tif 000003
【図３】
0003693699.tif 000004
【図４】
0003693699.tif 000005
【図５】
0003693699.tif 000006
【図６】
0003693699.tif 000007
【図７】
0003693699.tif 000008
【図８】
0003693699.tif 000009
【図９】
0003693699.tif 000010
【図１０】
0003693699.tif 000011
【図１１】
0003693699.tif 000012
【図１２】
0003693699.tif 000013
【図１３】
0003693699.tif 000014
【図１４】
0003693699.tif 000015
【図１５】
0003693699.tif 000016
【図１６】
0003693699.tif 000017
【図１７】
0003693699.tif 000018
【図１８】
0003693699.tif 000019
【図１９】
0003693699.tif 000020
【図２０】
0003693699.tif 000021
【図２１】
0003693699.tif 000022
【図２２】
0003693699.tif 000023
【図２３】
0003693699.tif 000024
【図２４】
0003693699.tif 000025
【図２５】
0003693699.tif 000026
【図２６】
0003693699.tif 000027
【図２７】
0003693699.tif 000028
【図２８】
0003693699.tif 000029
【図２９】
0003693699.tif 000030
【図３０】
0003693699.tif 000031
【図３１】
0003693699.tif 000032
【図３２】
0003693699.tif 000033
【図３３】
0003693699.tif 000034
【図３４】
0003693699.tif 000035
【図３５】
0003693699.tif 000036
【図３６】
0003693699.tif 000037
【図３７】
0003693699.tif 000038
【図３８】
0003693699.tif 000039
【図３９】
0003693699.tif 000040
【図４０】
0003693699.tif 000041
【図４１】
0003693699.tif 000042
【図４２】
0003693699.tif 000043
【図４３】
0003693699.tif 000044
【図４４】
0003693699.tif 000045
【図４５】
0003693699.tif 000046
【図４６】
0003693699.tif 000047
【図４７】
0003693699.tif 000048
【図４８】
0003693699.tif 000049
【図４９】
0003693699.tif 000050
【図５０】
0003693699.tif 000051
【図５１】
0003693699.tif 000052
【図５２】
0003693699.tif 000053
【図５３】
0003693699.tif 000054
【図５４】
0003693699.tif 000055
【図５５】
0003693699.tif 000056
【図５６】
0003693699.tif 000057
【図５７】
0003693699.tif 000058
【図５８】
0003693699.tif 000059
【図５９】
0003693699.tif 000060
【図６０】
0003693699.tif 000061
【図６１】
0003693699.tif 000062
【図６２】
0003693699.tif 000063
【図６３】
0003693699.tif 000064
【図６４】
0003693699.tif 000065
【図６５】
0003693699.tif 000066
【図６６】
0003693699.tif 000067
【図６７】
0003693699.tif 000068
【図６８】
0003693699.tif 000069
【図６９】
0003693699.tif 000070
【図７０】
0003693699.tif 000071
【図７１】
0003693699.tif 000072
【図７２】
0003693699.tif 000073
【図７３】
0003693699.tif 000074
【図７４】
0003693699.tif 000075
【図７５】
0003693699.tif 000076
【図７６】
0003693699.tif 000077
【図７７】
0003693699.tif 000078
【図７８】
0003693699.tif 000079
【図７９】
0003693699.tif 000080
【図８０】
0003693699.tif 000081
【図８１】
0003693699.tif 000082
【図８２】
0003693699.tif 000083
【図８３】
0003693699.tif 000084
【図８４】
0003693699.tif 000085
【図８５】
0003693699.tif 000086
【図８６】
0003693699.tif 000087
【図８７】
0003693699.tif 000088
【図８８】
0003693699.tif 000089
【図８９】
0003693699.tif 000090
【図９０】
0003693699.tif 000091
【図９１】
0003693699.tif 000092
【図９２】
0003693699.tif 000093
【図９３】
0003693699.tif 000094
【図９４】
0003693699.tif 000095
【図９５】
0003693699.tif 000096
【図９６】
0003693699.tif 000097
【図９７】
0003693699.tif 000098
【図９８】
0003693699.tif 000099
【図９９】
0003693699.tif 000100
【図１００】
0003693699.tif 000101
【図１０１】
0003693699.tif 000102